(57)【特許請求の範囲】
【請求項１】
磁気・電波シールド材料製であり且つ小動物（Ｓ）を内部に収容しうる内容器（１）と、前記内容器（１）を内部に収容する磁気シールド材料製の外容器（２）とからなり、前記内容器（１）は小動物（Ｓ）を出し入れ可能な内容器開口（１ａ）を有し、前記外容器（２）は小動物（Ｓ）を出し入れ可能な外容器開口（２ａ）を有し且つ回転して前記内容器開口（１ａ）と外容器開口（２ａ）とが重なる位置および重ならない位置のいずれをもとりうる構造であり、前記外容器の回転の中心軸を上下方向とした小動物生体磁気計測用シールドボックス（１０）と、前記小動物生体磁気計測用シールドボックス（１０）の下に設置されたデュワ（５１）と、前記デュワ（５１）から上方へ突出し前記小動物生体磁気計測用シールドボックス（１０）の底部を突き抜けて前記小動物生体磁気計測用シールドボックス（１０）の中央辺りまで突出した外径１０ｃｍ以下のセンサ管（５２）と、前記センサ管（５２）の先端部に設置された超伝導磁気センサ（５３）と、前記センサ管（５２）の先端近傍に小動物を置くための小動物支持手段（６０）とを具備し、前記小動物生体磁気計測用シールドボックス（１０）の内部に伏臥姿勢で載置した小動物の心磁を該小動物の胸側から測定可能としたことを特徴とする小動物用生体磁気計測装置（１００）。
【請求項２】
請求項１に記載の小動物用生体磁気計測装置（１００）において、前記小動物生体磁気計測用シールドボックス（１０）の前記内容器（１）および外容器（２）が円筒形であり、同心に置かれることを特徴とする小動物用生体磁気計測装置（１００）。
【請求項３】
請求項１または請求項２に記載の小動物用生体磁気計測装置（１００）において、前記小動物生体磁気計測用シールドボックス（１０）の前記内容器開口（１ａ）および前記外容器開口（２ａ）の面積が５ｃｍ×５ｃｍよりも大きいことを特徴とする小動物用生体磁気計測装置（１００）。
【発明の詳細な説明】
【技術分野】
【０００１】
本発明は、小動物用生体磁気計測用シールドボックスおよび小動物用生体磁気計測装置に関し、さらに詳しくは、構成を簡単化することが出来る小動物用生体磁気計測用シールドボックスおよび小動物用生体磁気計測装置に関する。
【背景技術】
【０００２】
従来、マウスのような小動物の心磁や脳磁を測定するのに適した構成の小動物用生体磁気計測装置が知られている（例えば、特許文献１、２、３参照。）。
【特許文献１】特開２００７−３１３１４３号公報
【特許文献２】特開２００７−３１３１４７号公報
【特許文献３】特開２００７−３１３１５２号公報
【発明の開示】
【発明が解決しようとする課題】
【０００３】
上記従来の小動物用生体磁気計測装置では、計測対象の小動物を収容する小動物室が磁気・電波をシールドするシールドボックスになっており、観音開きの扉が設けられていた。
しかし、シールドボックスに観音開きの扉を設けるのは、構成が複雑になる問題点があった。
そこで、本発明の目的は、構成を簡単化することが出来る小動物用生体磁気計測用シールドボックスおよび小動物用生体磁気計測装置を提供することにある。
【課題を解決するための手段】
【０００４】
第１の観点では、本発明は、磁気・電波シールド材料製であり且つ小動物（Ｓ）を内部に収容しうる内容器（１）と、前記内容器（１）を内部に収容する磁気シールド材料製の外容器（２）とからなり、前記内容器（１）は小動物（Ｓ）を出し入れ可能な内容器開口（１ａ）を有し、前記外容器（２）は小動物（Ｓ）を出し入れ可能な外容器開口（２ａ）を有し且つ回転して前記内容器開口（１ａ）と外容器開口（２ａ）とが重なる位置および重ならない位置のいずれをもとりうることを特徴とする小動物生体磁気計測用シールドボックス（１０）を提供する。
上記構成において「小動物」とは、体重が７ｋｇ以下の動物を意味する。
上記第１の観点による小動物生体磁気計測用シールドボックス（１０）では、外容器（２）を回転して内容器開口（１ａ）と外容器開口（２ａ）とが重なる位置にすると、両開口（１ａ，２ａ）を通して外部から内容器（１）の内部にアクセスでき、例えば小動物（Ｓ）を内容器（１）の内部に入れたり、内容器（１）の内部から出したりすることが出来る。また、外容器（２）を回転して内容器開口（１ａ）と外容器開口（２ａ）とが重ならない位置にすると、磁気・電波が外部から内容器（１）の内部までほとんど入らなくなり、外部ノイズに妨げられずに内容器（１）の内部で微弱な磁気を計測することが出来る。そして、観音開きの扉を設けないから、構成を簡単化することが出来る。
【０００５】
第２の観点では、本発明は、前記第１の観点による小動物生体磁気計測用シールドボックス（１０）において、前記内容器（１）および外容器（２）が円筒形であり、同心に置かれることを特徴とする小動物生体磁気計測用シールドボックス（１０）を提供する。
上記第２の観点による小動物生体磁気計測用シールドボックス（１０）では、外容器（２）を円筒形の中心軸で回転することにより、内容器開口（１ａ）と外容器開口（２ａ）とが重なる位置と重ならない位置とを容易に切り替えることが出来る。
【０００６】
第３の観点では、本発明は、前記第１または第２の観点による小動物生体磁気計測用シールドボックス（１０）において、前記内容器開口（１ａ）および前記外容器開口（２ａ）の面積が５ｃｍ×５ｃｍよりも大きいことを特徴とする小動物生体磁気計測用シールドボックス（１０）を提供する。
上記第３の観点による小動物生体磁気計測用シールドボックス（１０）では、内容器開口（１ａ）および外容器開口（２ａ）を通してマウスを内容器（１）の内部に入れたり、内容器（１）の内部から出したりすることが出来る。
【０００７】
第４の観点では、本発明は、前記第１から第３のいずれかの観点による小動物生体磁気計測用シールドボックス（１０）と、前記小動物生体磁気計測用シールドボックス（１０）の下または上に設置されたデュワ（５１）と、前記デュワ（５１）から突出し前記小動物生体磁気計測用シールドボックス（１０）の底部または天部を突き抜けて前記小動物生体磁気計測用シールドボックス（１０）の中央辺りまで突出した外径１０ｃｍ以下のセンサ管（５２）と、前記センサ管（５２）の先端部に設置された超伝導磁気センサ（５３）と、前記センサ管（５２）の先端近傍に小動物を置くための小動物支持手段（６０）とを具備したことを特徴とする小動物用生体磁気計測装置（１００）を提供する。
上記第４の観点による小動物用生体磁気計測装置（１００）では、小動物生体磁気計測用シールドボックス（１０）の内部でマウスのような小動物（Ｓ）の心磁や脳磁を好適に測定できる。なお、センサ管（５２）の外径を１０ｃｍ以下とするのは、センサ管を通す孔を通じてデュワ（５１）側からノイズが侵入するのを抑制するためである。
【発明の効果】
【０００８】
本発明の小動物生体磁気計測用シールドボックスによれば、観音開きの扉を設けないから、構成を簡単化することが出来る。
また、本発明の小動物用生体磁気計測装置によれば、マウスのような小動物の心磁や脳磁を好適に測定できるようになる。
【発明を実施するための最良の形態】
【０００９】
以下、図に示す実施の形態により本発明をさらに詳細に説明する。なお、これにより本発明が限定されるものではない。
【実施例１】
【００１０】
図１は、実施例１に係る小動物生体磁気計測用シールドボックス１０を示す正面図である。図２は、図１のＡ−Ａ’断面図である。
この小動物生体磁気計測用シールドボックス１０は、磁気・電波シールド材料製であり且つマウスのような小動物を内部に収容しうる内容器１と、内容器１を内部に収容する磁気・電波シールド材料製の外容器２とからなる。
磁気・電波シールド材料は、２層のパーマロイと１層の銅板の積層材からなる。
【００１１】
内容器１は、天井および床を有する円筒形であり、小動物を出し入れ可能な内容器開口１ａを側面部に有している。
内容器１の外径は例えば５００ｍｍ、高さは例えば５００ｍｍ、肉厚は例えば３ｍｍである。
【００１２】
外容器２は、天井を有し床を有しないシルクハット状の外容器筒体２ｂと、外容器筒体２ｂと別体であり且つ外容器２の床となる外容器底板２ｃとからなる。外容器筒体２ｂを外容器底板２ｃの上に置けば、外容器２は、天井および床を有する円筒形となる。
外容器筒体２ｂは、小動物を出し入れ可能な外容器開口２ａを側面部に有している。
外容器２の外径は例えば６００ｍｍ、高さは例えば６００ｍｍ、肉厚は例えば０．５ｍｍである。
なお、シールド効果上、内容器１の周壁と外容器２の周壁の間に１０ｍｍ〜１００ｍｍの空隙を空けるのが好ましい。
【００１３】
図１，図２に示すように、内容器１と外容器２とは同心に配置され、内容器開口１ａと外容器開口２ａとが重なる位置をとりうる。
【００１４】
他方、図３，図４に示すように、円筒形の中心軸で外容器筒体２ｂを回転させれば、内容器開口１ａと外容器開口２ａとが重ならない位置にすることが出来る。
【００１５】
図５は、内容器１の断面図である。図６は、図５のＢ−Ｂ’断面図である。
内容器１の床には、センサ挿入孔１ｄと、配線孔１ｅが穿設されている。
内容器開口１ａの面積は、少なくともマウスを通すために５ｃｍ×５ｃｍより大きい。また、外容器２の周壁で十分に塞がれるようにするため、内容器開口角度θ１は、１２０度よりも小さくされる。
【００１６】
図７は、外容器２の断面図である。図８は、図７のＢ−Ｂ’断面図である。なお、図８では、外容器筒体２ｂと外容器底板２ｃとを分離して示している。
外容器開口２ａの面積は、少なくともマウスを通すために５ｃｍ×５ｃｍより大きい。また、内容器２の周壁で十分に塞がれるようにするため、外容器開口角度θ２は、１２０度よりも小さくされる。
【００１７】
例えば内容器開口角度θ１を９０度とし、外容器開口角度θ２を９０度とすると、開口１ａ，２ａが重ならない位置においたとき、開口１ａ，２ａの両側９０度の角度範囲では、内容器１の周壁および外容器２の周壁の二重シールドになる。
【００１８】
外容器底板２ｃには、センサ挿入孔２ｄと、配線孔２ｅが穿設されている。また、内容器１を支持するための内容器支持台２ｆが設置されている。さらに、外容器筒体２ｂの位置を規制するための筒体ガイド２ｇが設置されている。
【００１９】
図９は、小動物生体磁気計測用シールドボックス１０を用いた小動物用生体磁気計測装置１００を示す正面図である。なお、小動物生体磁気計測用シールドボックス１０は断面で示している。
この小動物用生体磁気計測装置１００は、小動物生体磁気計測用シールドボックス１０と、小動物生体磁気計測用シールドボックス１０の下に設置されたデュワ台５０と、デュワ台５０内に設置されたデュワ５１と、デュワ５１から上方へ突出しデュワ台５０の天井から小動物生体磁気計測用シールドボックス１０の外容器２および内容器１の床を突き抜けて内容器１の中央辺りまで突出した外径６ｃｍのセンサ管５２と、センサ管５２の先端部に設置された超伝導磁気センサ５３と、内容器１の内部に設置されたＸＹＺステージ６０と、ＸＹＺステージ６０に置かれた小動物Ｓに光や音の刺激を与えるための刺激付与装置６１と、刺激付与装置６１からデュワ台５０へと導出された配線６２と、超伝導磁気センサ５３や刺激付与装置６１を駆動する電子回路を含むと共に超伝導磁気センサ５３からの信号を処理し生体磁気情報を抽出する情報処理装置７０とを具備している。
【００２０】
デュワ台５０は、１層のパーマロイと１層のアルミ板の積層材からなる磁気・電波シールドで囲繞されている。
【００２１】
センサ管５２は、フッ素樹脂製である。
【００２２】
ＸＹＺステージ６０は、プラスチックや真鍮のような非磁性材料により構成され、センサ管５２の先端部が入る孔が中央に穿設されている。
ＸＹＺステージ６０の上に薄いシートを敷いて小動物Ｓを置き、ツマミを操作してＸＹＺステージ６０を上下・前後・左右に移動し、小動物Ｓと超伝導磁気センサ５３の位置関係を調整する。
【００２３】
情報処理装置７０は、小動物Ｓの心磁や脳磁を測定し、データを記録し、ディスプレイに表示する。脳磁を測定するときは、刺激付与装置６１により小動物Ｓに刺激を与える。
【００２４】
実施例１の小動物生体磁気計測用シールドボックス１０によれば、観音開きの扉を設けないから、構成を簡単化することが出来る。
また、実施例１の小動物用生体磁気計測装置１００によれば、マウスのような小動物Ｓの心磁や脳磁を好適に測定できる。
【実施例２】
【００２５】
図１０に示すように、小動物生体磁気計測用シールドボックス１０を跨ぐようにデュワ室支持台５５を置き、デュワ室支持台５５の上にデュワ室５６を設置し、デュワ室５６内のデュワ５１からセンサ管５２を下方へ突出しデュワ室５６の床から小動物生体磁気計測用シールドボックス１０の外容器２および内容器１の天井を突き抜けて内容器１の中央辺りまで突出させてもよい。
【産業上の利用可能性】
【００２６】
例えばマウスのような小動物から発せられる磁場を測定するのに利用できる。
【図面の簡単な説明】
【００２７】
【図１】実施例１に係る小動物生体磁気計測用シールドボックスを示す正面図（内容器開口と外容器開口が重なっている状態）である。
【図２】図１のＡ−Ａ’断面図である。
【図３】実施例１に係る小動物生体磁気計測用シールドボックスを示す正面図（内容器開口と外容器開口が重なっていない状態）である。
【図４】図３のＡ−Ａ’断面図である。
【図５】内容器を示す断面平面図である。
【図６】図５のＢ−Ｂ’断面図である。
【図７】外容器を示す断面平面図である。
【図８】図７のＢ−Ｂ’断面図である。
【図９】実施例１に係る小動物用生体磁気計測装置を示す一部破断正面図である。
【図１０】実施例２に係る小動物用生体磁気計測装置を示す一部破断正面図である。
【符号の説明】
【００２８】
１              内容器
１ａ            内容器開口
２              外容器
２ａ            外容器開口
２ｂ            外容器筒体
２ｃ            外容器床板
１０            小動物生体磁気計測用シールドボックス
５１            デュワ
５２            センサ管
５３            超伝導磁気センサ
６０            ＸＹＺステージ
７０            情報処理装置
１００          小動物用生体磁気計測装置
Ｓ              小動物
【図１】
0005182750.tif 000002
【図２】
0005182750.tif 000003
【図３】
0005182750.tif 000004
【図４】
0005182750.tif 000005
【図５】
0005182750.tif 000006
【図６】
0005182750.tif 000007
【図７】
0005182750.tif 000008
【図８】
0005182750.tif 000009
【図９】
0005182750.tif 000010
【図１０】
0005182750.tif 000011